(57)【要約】【課題】従来の空気調和機の据付装置は、ユニット運搬に人員が必要でありコストがかさむなどの問題点があった。また少人数でユニットの運搬を行った場合、手間もがかかり、据付設置場所によっては移動時に困難を伴っていた。【解決手段】この発明における空気調和機の据付装置は、側面に空気吸込み口を備え、かつ上面に空気吹出し口を設けた空気調和機の室外ユニットであって、前記室外ユニットを地面に固定するための据付脚をユニット底面に配置した室外ユニットにおいて、前記据付脚を一対設け、がつ地面と接する下面に、複数の絞り部を設けた構成とした。【選択図】        図１
2005274002.tif 000002
【特許請求の範囲】
【請求項１】
側面に空気吸込み口を備え、かつ上面に空気吹出し口を設けた空気調和機の室外ユニットであって、前記室外ユニットを地面に固定するための据付脚をユニット底面に配置した室外ユニットにおいて、前記据付脚を一対設け、がつ地面と接する下面に、複数の絞り部を設けたことを特徴とする空気調和機の据付装置。
【請求項２】
前記据付脚に設ける絞り部は両端からＢ寸法だけ内側に設けたことを特徴とする請求項１記載の空気調和機の据付装置。
【請求項３】
絞り部形状は半円形状であることを特徴とする請求項１記載の空気調和機の据付装置。
【請求項４】
絞り部形状は半長円形状であることを特徴とする請求項１記載の空気調和機の据付装置。
【請求項５】
絞り部形状は半円筒形状であることを特徴とする請求項１記載の空気調和機の据付装置。
【請求項６】
絞り部形状は半球形状であることを特徴とする請求項１記載の空気調和機の据付装置。
【発明の詳細な説明】
【技術分野】
【０００１】
この発明は空気調和機に係り、特に、大型の室外ユニットを移動させる据付装置に関するものである。
【背景技術】
【０００２】
従来、質量の重い空気調和機室外ユニットの運搬はフォークリフトまたはハンドリフトなとの運搬機器を使用するが、狭い路地など運搬機器を使用できない場合には、人が空気調和機を持って運搬を行っているため、運搬に要する人員が必要であった。
また運搬人員やリフトが確保できない場合は、レールと円筒状の鋼管など通称”コロ”等を室外ユニット据付脚の下に置き、室外ユニットの運搬移動を行っていた。（例えば、特許文献１参照。）
【０００３】
【特許文献１】実開平２−５２３８０号公報（第２―５頁、第２図、第３図）
【発明の開示】
【発明が解決しようとする課題】
【０００４】
従来の空気調和の室外ユニットは、移動の距離が長い場合は、鉄管の位置換えを度々繰り返す必要があり、また路地が傾斜している場合等は、室外ユニットから手を離すこともできないため、ユニットの運搬には危険性も伴うと共に、ユニット運搬に運搬機器または人員が必要であり運搬コストがかさむなどの問題点があった。
【０００５】
この発明は、上記のよう課題を解決するためになされたもので、第１の目的は空気調和機室外ユニットの運搬を容易にさせ、運搬コストを抑えられる安価な室外ユニットを得るものである。
【課題を解決するための手段】
【０００６】
この発明に係る空気調和機の据付装置は、側面に空気吸込み口を備え、かつ上面に空気吹出し口を設けた空気調和機の室外ユニットであって、前記室外ユニットを地面に固定するための据付脚をユニット底面に配置した室外ユニットにおいて、前記据付脚を一対設け、がつ地面と接する下面に、複数の絞り部を設けたものである。
【発明の効果】
【０００７】
この発明における空気調和機の据付装置は、側面に空気吸込み口を備え、かつ上面に空気吹出し口を設けた空気調和機の室外ユニットであって、前記室外ユニットを地面に固定するための据付脚をユニット底面に配置した室外ユニットにおいて、前記据付脚を一対設け、がつ地面と接する下面に、複数の絞り部を設けた構成としたから、室外ユニットの運搬移動を安全かつ容易にさせ、運搬コストを抑えられるユニットを提供できる効果を有する。
【発明を実施するための最良の形態】
【０００８】
実施の形態１．
図１は、この発明の実施の形態１における空気調和機室外ユニットの斜視図、図２は、この発明の実施の形態１における室外ユニットの要部を示す断面図、図３は空気調和機室外ユニットを底部側から見た状態の斜視図、図４は空気調和機室外ユニットの据付脚を下方から見た状態の要部拡大斜視図である。図において、空気調和機の室外ユニット本体１は、底部２および空気吸込み部３を備えた側面部４を鋼板製で形成されており、上部には空気吹出し口５を設けている。この室外ユニット本体１の前記底部２には、一対の据付脚６を溶接又は固定締付具（図示されていない）等で固着されている。
【０００９】
この据付脚６は、断面コ字形状とし前記室外ユニット１の底部２奥行き寸法と同一寸法に成すとともに、前記室内ユニット１底部２に固着される側の上面６ａを平滑面にし、地面と接する側の下面６ｂには、前後に断面半円状の絞り部６ｃを複数配置されている。この据付脚６の断面半円状の絞り部６ｃは、図４に示されるように全長寸法Ａとし、それぞれＢ寸法だけ両端から内側に形成されている。前記空気調和機の室外ユニット１の移動用具７は、例えば丸棒状鋼管であったり、円筒形状の鋼管等から形成されている。
【００１０】
なお、上記据付脚６を室外ユニット１に固定する場合には前記据付脚６を一対用意し、その側部６ｄを対面させるようにして上面６ａをユニット底部２に固着すれば、対向した断面半円条の絞り部６ｃは同一中心線上位置し、移動用具７が平行に地面に置くことが可能となるものである。
【００１１】
次に実施の形態１における空気調和機室外ユニットの動作について説明する。室外ユニット運搬移動時に、断面半円状の絞り部６ｃに、移動用具７を平行配置させる。その状態で室外ユニット本体１を人力で押せば、その、断面半円状の絞り部６ｃ移動用具７が回転し簡易キャスターとなる。移動用具７は室外ユニット本体１の自重により、半円状の絞り部３から外れることはない。
【００１２】
また、この発明の実施の形態２における空気調和機室外ユニットでは、図に示すように配置する円筒形状の移動具７を、前記据付脚６の絞り部６ｃ形状より小さい径とすることで、円筒形状の移動具７との接触面が少なくなり、摩擦抵抗が減ることで、少ない力で運搬することができる。
【００１３】
図５は、この発明の他の実施の形態における室外ユニットの要部を示す断面図、図６は空気調和機室外ユニットの要部を示す斜視図、図７は空気調和機室外ユニットの据付脚を下方から見た状態の要部拡大斜視図である。前記の実施の形態と同様な形態で、ある程度室外ユニット１の方向転換を可能にした、実施の形態を説明する。図において、据付脚６の断面半長円形状の絞り部８は、前後に複数配置されている。この据付脚６の断面半長円状の絞り部６ｃは、図７に示されるように全長寸法Ａとし、それぞれＢ寸法だけ両端から内側に形成されている。そして、前記の実施の形態と同様に同一線上に配置される。
【００１４】
この断面半長円形状の絞り部８を備えた据付脚６の場合、室外ユニット１の移動は、図６に示すように長円の範囲内で、ユニットの移動方向に対して前後に移動し、曲がり移動時に曲がるときの移動具７の転がり差(例えば、自動車で言えば車の内輪差)を吸収し、室外ユニット１の向きをある程度変更することが可能となる。
【００１５】
図８は、この発明の他の実施の形態における室外ユニットの要部を示す断面図、図９は空気調和機室外ユニットを下方から見た状態の要部を示す斜視図、図７は空気調和機室外ユニットの据付脚を下方から見た状態の要部拡大斜視図である。図において、この発明の他の実施の形態では、据付脚６に断面半円筒形状の絞り部９を形成し、前後に複数配置されている。この据付脚６の断面半円筒状の絞り部９は、図１０に示されるように全長寸法Ａとし、それぞれＢ寸法だけ両端から内側に形成されている。そして、前記の実施の形態と同様に同一線上に配置される。また、前記断面半円筒状の絞り部９を有する据付脚６に、移動時利用する第２の移動具１０は、短寸の円筒形状をしており、図９に示すように同一線上に複数配置される。この前記断面半円筒状の絞り部９に配置された短寸の円筒形状の第２移動具１０は、たとえば鋼管の切れ端のような物を配置することで、簡易キャスターとなり、ユニットの運搬が容易となる。
【００１６】
図１１は、この発明の他の実施の形態における室外ユニットの要部を示す断面図、図１２は空気調和機室外ユニットを下方から見た状態の要部を示す斜視図、図１３は空気調和機室外ユニットの据付脚を下方から見た状態の要部拡大斜視図である。この他の実施の形態は、空気調和機の室外ユニット１を方向転換を可能にしたものである。方向転換を自在にする第３の移動具１２は、図１２に示すように半球状絞り部１１を形成した据付脚６を室外ユニット１の底部２に固着されており、図１３に示されるように全長寸法Ａとし、それぞれＢ寸法だけ両端から内側に形成されている。そして、前記の実施の形態と同様に同一線上に配置される。この半球状の絞り部１１に配置された第３の移動具１２は、球体形、たとえばパチンコの玉のような鉄球を配置することで、簡易キャスターとなり、ユニットの運搬、方向転換も容易となる。
【図面の簡単な説明】
【００１７】
【図１】この発明の実施の形態１における空気調和機室外ユニットの斜視図である。
【図２】この発明の実施の形態１における室外ユニットの要部を示す断面図である。
【図３】この発明の実施の形態1における空気調和機室外ユニットを底部側から見た状態の斜視図である。
【図４】この発明の実施の形態２における空気調和機室外ユニットの据付脚を下方から見た状態の要部拡大斜視図である。
【図５】この発明の他の実施の形態における室外ユニットの要部を示す断面図である。
【図６】この発明の他の実施の形態におけるは空気調和機室外ユニットの要部を示す斜視図である。
【図７】この発明の他の実施の形態における空気調和機室外ユニットの据付脚を下方から見た状態の要部拡大斜視図である。
【図８】この発明の他の実施の形態における室外ユニットの要部を示す断面図である。
【図９】この発明の他の実施の形態におけるは空気調和機室外ユニットの要部を示す斜視図である。
【図１０】この発明の他の実施の形態における空気調和機室外ユニットの据付脚を下から見た状態の要部拡大斜視図である。
【図１１】この発明の他の実施の形態における室外ユニットの要部を示す断面図である。
【図１２】この発明の他の実施の形態におけるは空気調和機室外ユニットの要部を示す斜視図である。
【図１３】この発明の他の実施の形態における空気調和機室外ユニットの据付脚を下方から見た状態の要部拡大斜視図である。
【符号の説明】
【００１８】
１  空気調和機の室外ユニット、
２  室外ユニット底部、
３  空気吸込み口、
４  側面部、
５  空気吹出し口、
６  据付脚、
６ａ  上面
６ｂ  下面
６ｃ  断面半円状の絞り部、
６ｄ  側部、
７  移動用具、
８  断面半長円状の絞り部、
９  断面半円筒状の絞り部、
１０  第２の移動用具、
１１  半球状の絞り部、
１２  第３の移動用具。
【図１】
2005274002.tif 000003
【図２】
2005274002.tif 000004
【図３】
2005274002.tif 000005
【図４】
2005274002.tif 000006
【図５】
2005274002.tif 000007
【図６】
2005274002.tif 000008
【図７】
2005274002.tif 000009
【図８】
2005274002.tif 000010
【図９】
2005274002.tif 000011
【図１０】
2005274002.tif 000012
【図１１】
2005274002.tif 000013
【図１２】
2005274002.tif 000014
【図１３】
2005274002.tif 000015